(57)【要約】【課題】  スパナの簡単な往復回動操作構造を提供する。【解決手段】  主にスパナ本体１０、平滑部１３を含む。該スパナ本体は少なくとも一端に梅型嵌合部１１を設ける。該梅型嵌合部内縁には複数のラチェット状歯型１２を構成し、該歯型により螺合部品の嵌合、駆動効果を達成する。また、該歯型の一端側に凹溝状の係合固定部１４を設け、該係合固定部には円形バネ形態の弾力部品１５を嵌合する。該平滑部は該歯型の他端側に設ける。該平滑部の直径はラチェットを具えた該歯型よりわずかに大きく、該平滑部の構成によって螺合部品は、下向きに押し込むことによって歯型に嵌合し、力を緩めることによって該平滑部に収容されて、該スパナ本体は空転現象を生じ、逆方向への回転操作機能を達成する。【選択図】図１
2005153108.tif 000002
【特許請求の範囲】
【請求項１】
スパナ本体を含み、
該スパナ本体は少なくとも一端に封鎖式の嵌合部を設け、該封鎖式の嵌合部内壁面には適当な凹凸深さの複数のラチェット状歯型を設け、該嵌合部の開口側には直径が該歯型よりやや大きい平滑部を設けてなることを特徴とするスパナの往復回動構造。
【請求項２】
前記歯型の一端には凹溝状の係合固定部を設け、該係合固定部には弾力部品を嵌合してなることを特徴とする請求項１記載のスパナの往復回動構造。
【請求項３】
前記平滑部の適当な位置には少なくとも一個の穿孔を設け、該穿孔には前記平滑部の内面においてわずかに突出する係合固定装置を設けてなることを特徴とする請求項１記載のスパナの往復回動構造。
【請求項４】
前記弾力部品は円形のバネであることを特徴とする請求項２記載のスパナの往復回動構造。
【請求項５】
前記弾力部品は複数の弾力片を環状に設けて形成された円盤体弾力部品であることを特徴とする請求項２記載のスパナの往復構造。
【請求項６】
前記弾力部品は扁平端、及び円形端により構成される圧縮バネであることを特徴とする請求項２記載のスパナの往復構造。
【請求項７】
前記係合固定装置はバネとベアリングを含むことを特徴とする請求項３記載のスパナの往復構造。
【発明の詳細な説明】
【技術分野】
【０００１】
本発明は一種のスパナの往復動回動操作構造に関する。特に一種の構造が簡易で、コストが低い逆回転復位の梅型スパナの構造に係る。
【背景技術】
【０００２】
公知の梅型スパナ構造は主にスパナ頭部に設置する嵌合部を利用し、六角形螺合部品に嵌合し、回動操作して該螺合部品を締めるものである。
しかし、一般のスパナを用いて螺合部品を締めようとする時には、しばしば該梅型スパナを数回往復させる必要がある。また該螺合部品を締めたり取り外したりする時には、該螺合部品の周囲に阻害物があることもしばしばである。そのため、該梅型スパナは阻害物に接触する角度まで該螺合部品を回した後は、該梅型スパナを該螺合部品から取り外し、再び該梅型スパナの嵌合部を該螺合部品の六角嵌合部に合わせ、再度該螺合部品を回す。このように回転、取り外し、合わせて嵌合、数回回転の煩雑な手順を数回繰り返す必要がある。
よってこの種の公知の梅型スパナ構造は、取り出し及び六角嵌合部の設計に合わせる動作を数回行う必要があるため、使用者が逆回転させ復位させる時の面倒となっている。
さらに、この種の設計は該梅型スパナ嵌合部を該螺合部品の六角嵌合部に合わせる必要があるため、狭い空間で使用する場合には、空間の不足により、該梅型スパナは該螺合部品に係合することができない。
上記欠点に対してラチェットスパナが考え出されたが、該ラチェットスパナの構造は部品が多いため、コストが非常に高くなってしまい、しかも組立てにも多くの時間を必要とする。
【発明の開示】
【発明が解決しようとする課題】
【０００３】
上記公知構造の欠点を解決するため、本発明はスパナの往復回動操作構造の提供を課題とする。
本発明のスパナの往復構造は梅型嵌合部内縁に設置するラチェットを具えた歯型とラチェットを具えない平滑部の設計により、スパナ本体に簡易で迅速な逆回転させ復位機能を達成させる。公知の梅型スパナのように、嵌合部内縁にラチェットを具えた歯型だけを設置することにより、梅型スパナの逆回転後退に時間がかかり過ぎるという欠点を解決することができる。
さらに本発明は  梅型嵌合部内縁にラチェットを具えた歯型とラチェットを具えない平滑部を設置するため、スパナ本体は小角度の逆回転後退機能を具え、狭い空間での使用にも便利で、公知の梅型スパナのように、嵌合部を取外して再び螺合部品に合わせる角度が大きいために、狭い空間での使用に適さないという欠点をも解決可能である。
また本発明は梅型嵌合部の歯型に弾力部品を設置するため、該弾力部品の回復弾力により、スパナ本体は自動的に上向きに上がり、該螺合部品は該平滑部内に入り、こうしてスパナ本体の逆回転後退は一層迅速に、力の必要もなく行うことができる。
加えて、本発明は梅型嵌合部内に肺決部を設置するだけで、一般の梅型スパナ構造に構造が複雑でコストが高いラチェットスパナと同様の逆回転後退機能を発揮させることができ、コストの上で非常に有利である。
【課題を解決するための手段】
【０００４】
上記課題を解決するため、本発明は下記のスパナの往復構造を提供する。
それは主にスパナ本体、平滑部を含む。
該スパナ本体は少なくとも一端に梅型嵌合部を設置する。該梅型嵌合部内縁には複数のラチェットにより歯型を構成し、該歯型により螺合部品の固定、動かし効果を達成する。また、該歯型の予定の位置には凹溝状の係合固定部を設置し、該係合固定部は円形バネ形態の弾力部品により嵌合する。
該平滑部は該歯型の一端に設置する。該平滑部の直径はラチェットを具えた該歯型よりわずかに大きい。該平滑部の設計により、螺合部品は該平滑部に収容される時、該スパナ本体は空転現象を生じ、逆方向への後退機能を達成する。
【発明の効果】
【０００５】
上記のように、本発明は平滑部の設計により、梅型嵌合部は迅速な往復螺合機能を達成することができ、公知の梅型スパナのように、設計上の欠点により、梅型スパナの往復螺合動作に時間がかかり過ぎるという欠点を解決することができる。同時に、公知の梅型スパナが狭い空間での使用に適さないという欠点をも解決可能である。
【発明を実施するための最良の形態】
【０００６】
図１〜５が示すように、本発明はスパナ本体１０、平滑部１３を含む。
該スパナ本体１０は少なくとも一端に封鎖式の梅型嵌合部１１を設置する。該梅型嵌合部１１内縁壁面には適当な深度で複数のラチェットにより構成される歯型１２を設置し、該歯型１２により螺合部品の固定、駆動効果を達成する。また、該歯型１２の予定の位置には凹溝状の係合固定部１４を設置し、該係合固定部１４には円形バネ形態の弾力部品を嵌合する（図４、５参照）。
該平滑部１３は該歯型１２の一端に設ける。該平滑部１３の直径はラチェットを具えた該歯型１２よりわずかに大きい。即ち、本発明の該平滑部１３の直径はまた螺合部品の幅よりわずかに大きい。該螺合部品よりわずかに大きい平滑部１３の設計により、螺合部品は該平滑部１３に収容される時、該スパナ本体１０は逆方向への後退機能を達成する。
【０００７】
螺合部品２０を締める時には、該スパナ本体１０の梅型嵌合部１１を利用し、該螺合部品２０を嵌合する。続いて、下向きの力を加える。該力は弾力部品１５のつっぱり力よりも大きいため、該弾力部品１５は上向きに収縮し、同時に該螺合部品２０上端の六角嵌合部２１と該梅型嵌合部１１内縁壁面に設置する歯型１２は相互に接触停止し、該スパナ本体１０が回転し阻害物と抵触してそれ以上回転することができない状態となった時（図６、７参照）、使用者は力を緩めるだけで、該弾力部品１５の回復弾力により、該スパナ本体１０は上向きに上昇する。こうして、該歯型１２と接触停止していた螺合部品２０六角嵌合部２１は、該螺合部品２０の平滑部１３内に納まる。
本発明の平滑部１３はラチェットを具えないため、その直径は該螺合部品２０の六角嵌合部２１よりわずかに大きい。そのため、該スパナ本体１０は空転現象を生じ、逆方向回転を可能とする（図７、９参照）。該スパナ本体１０が逆回転し元の位置を回復した時、再び下向きに力を入れることにより、該螺合部品２０の六角嵌合部２１は再度、該梅型嵌合部１１内縁壁面の歯型１２と抵触停止する。こうして、該螺合部品２０の螺合動作を継続して行うことができる。
【０００８】
次に図１０、１１が示すように、本発明の第二実施例では、回転するスパナ本体１０により、該平滑部１３内の螺合部品２０の位置を測定し、またスパナ本体１０が逆回転し後退する角度を測定する。該平滑部１３の予定位置において設置する相互に対応する穿孔１６内には、該梅型嵌合部１１内縁においてわずかに突出する係合固定装置１７を設置する。
該係合固定装置１７は、バネ１８、ベアリング１９を含む。該係合固定装置１７は、該平滑部１３内に嵌入する被螺合部品２０の六角嵌合部２１と相互に抵触停止し、該スパナ本体１０が逆回転し後退する時、該係合固定装置１７により該螺合部品２０と抵触停止し音を生じ、該スパナ本体１０の逆回転角度を知ることができる。
【０００９】
さらに図１２〜１５が示すように、本発明の第三実施例では、主に該梅型嵌合部１１の係合固定部１４に嵌合する円形で弾力を具える弾力部品１５は、円盤体弾力部品１５１に嵌合される。該円盤体弾力部品１５１は中空状で、その周囲縁には複数の下向きに傾斜した弾力片１５２を設置し、該円盤体弾力部品１５１に設置する弾力片１５２により、該スパナ本体１０において力を緩めた時に、該スパナ本体１０を自動的に弾き戻し、該螺合部品２０の六角嵌合部２１は該平滑部１３内に落ち着く。
図１６、１７が示す弾力部品１５は扁平端１５３、及び円形端１５４により構成される圧縮バネである。
【図面の簡単な説明】
【００１０】
【図１】本発明スパナの往復構造の分解指示図である。
【図２】本発明スパナの往復構造の梅型嵌合部の外観指示図である。
【図３】本発明スパナの往復構造の全体外観指示図である。
【図４】本発明スパナの往復構造の部分断面外観指示図である。
【図５】本発明スパナの往復構造の梅型嵌合部の断面指示図である。
【図６】本発明のスパナの往復回動操作構造の外観及び駆動操作断面図である。
【図７】本発明のスパナの往復回動操作構造の外観及び開放操作断面図である。
【図８】本発明のスパナの往復回動動作構造の断面図である。
【図９】本発明のスパナの往復回動操作構造の断面作動指示図である。
【図１０】本発明スパナの往復構造の第二実施例の分解指示図である。
【図１１】本発明スパナの往復構造の第二実施例の局部断面作動指示図である。
【図１２】本発明スパナの往復構造の第三実施例の分解指示図である。
【図１３】本発明スパナの往復構造の第三実施例の外観指示図である。
【図１４】本発明スパナの往復構造の第三実施例の作動指示図である。
【図１５】本発明スパナの往復構造の第三実施例の回動操作指示図である。
【図１６】本発明のスパナの往復構造の別の様式の外観断面指示図である。
【図１７】図１６の梅型嵌合部の断面指示図である。
【符号の説明】
【００１１】
１０  スパナ本体
１１  梅型嵌合部
１２  歯型
１３  平滑部
１４  係合固定部
１５  弾力部品
１６  穿孔
１７  係合固定装置
１８  バネ
１９  ベアリング
２０  螺合部品
２１  六角嵌合部
１５１  円盤体弾力部品
１５２  弾力片
１５３  扁平端
１５４  円形端
【図１】
2005153108.tif 000003
【図２】
2005153108.tif 000004
【図３】
2005153108.tif 000005
【図４】
2005153108.tif 000006
【図５】
2005153108.tif 000007
【図６】
2005153108.tif 000008
【図７】
2005153108.tif 000009
【図８】
2005153108.tif 000010
【図９】
2005153108.tif 000011
【図１０】
2005153108.tif 000012
【図１１】
2005153108.tif 000013
【図１２】
2005153108.tif 000014
【図１３】
2005153108.tif 000015
【図１４】
2005153108.tif 000016
【図１５】
2005153108.tif 000017
【図１６】
2005153108.tif 000018
【図１７】
2005153108.tif 000019